(57)【要約】【課題】表示パネルの表示品質が低下する事態を抑制する。【解決手段】画像を表示する液晶パネル１１と、液晶パネル１１の表示面１２を覆うタッチパネル４０と、液晶パネル１１の外周端部とタッチパネル４０の外周端部の間に配され、液晶パネル１１を構成するＣＦ基板２０のタッチパネル４０側の面に設けられた段差部２２に嵌合される遮光テープ６０，７０であって、表示面１２よりもタッチパネル４０に対して遠い側に配されるタッチパネル側の面７２を有する遮光テープ６０，７０と、を備えることに特徴を有する。【選択図】図２
2019090899.tif 000002
【特許請求の範囲】
【請求項１】
画像を表示する表示パネルと、
前記表示パネルの表示面を覆うパネル部材と、
前記表示パネルの外周端部と前記パネル部材の外周端部の間に配され、前記表示パネルを構成する基板の前記パネル部材側の面に設けられた段差部に嵌合される遮光部であって、前記表示面よりも前記パネル部材に対して遠い側に配される前記パネル部材側の面を有する遮光部と、を備える表示装置。
【請求項２】
前記表示パネルは、液晶パネルとされ、
前記液晶パネルは、前記基板における前記パネル部材側の面に設けられる偏光板を備え、
前記表示面は、前記偏光板における前記パネル部材側の面である請求項１に記載の表示装置。
【請求項３】
前記表示パネルは、角部を有しており、
前記遮光部は、前記角部において互いに重畳された２枚の遮光テープを有する請求項１又は請求項２に記載の表示装置。
【請求項４】
前記段差部は、前記角部に対応する箇所に設けられている請求項３に記載の表示装置。
【請求項５】
前記表示パネルと前記パネル部材の間には、前記表示パネルに対して前記パネル部材を固定する粘着テープが介在されている請求項１から請求項４のいずれか１項に記載の表示装置。
【請求項６】
前記表示パネルは、
対向配置される一対の基板と、
前記一対の基板間に配される液晶層と、
前記一対の基板の外周端部間に介在され、前記液晶層を封止するシール部材と、を備える液晶パネルとされ、
前記遮光部は、
前記一対の基板のうち、前記表示面側の基板において、前記シール部材と重畳する箇所に設けられている請求項１から請求項５のいずれか１項に記載の表示装置。
【請求項７】
前記表示パネルは、
方形状をなすアレイ基板と、
方形状をなし、前記アレイ基板と対向配置される対向基板と、を備える方形状をなし、
前記表示パネルの一辺において、前記アレイ基板の外周端部は、前記対向基板の外周端部よりも前記表示パネルの外周側に配されており、
前記アレイ基板の前記外周端部における前記パネル部材側の面には、前記表示パネルを駆動するドライバが設けられ、
前記アレイ基板の前記外周端部における前記パネル部材側の面及び前記対向基板の前記外周端部における前記パネル部材側の面の双方を覆うドライバ側遮光部材を備える請求項１から請求項６のいずれか１項に記載の表示装置。
【発明の詳細な説明】
【技術分野】
【０００１】
本発明は、表示装置に関する。
【背景技術】
【０００２】
従来、表示装置として、下記特許文献１に記載されたものが知られている。特許文献１に記載された表示装置は、表示パネルと表示パネルの表示面側に配されたパネル部材（タッチパネル）を備える。
【先行技術文献】
【特許文献】
【０００３】
【特許文献１】特開２００２−１１６８７７号公報
【発明の概要】
【発明が解決しようとする課題】
【０００４】
ところで、表示パネルの外周端部には、光漏れを防ぐための遮光部が設けられる場合がある。上記構成のように表示パネルとパネル部材とを備える構成では、遮光部は例えば表示パネルとパネル部材の間に介在される。また、近年では表示装置の薄型化が求められており、そのためには、表示パネルとパネル部材との間隔を小さくすることが求められる。上述のような遮光部を備える構成で、表示パネルとパネル部材との間隔を小さくすると、遮光部が表示パネルとパネル部材の双方に当接する可能性がある。この結果、パネル部材に外力が作用した際に、遮光部を介して表示パネルに圧力が作用する事態が懸念される。これにより、表示パネルにおいて表示ムラが発生し、表示品位が低下する事態が懸念される。
【０００５】
本発明は上記のような事情に基づいて完成されたものであって、表示パネルの表示品質が低下する事態を抑制することを目的とする。
【課題を解決するための手段】
【０００６】
上記課題を解決するために、本発明の表示装置は、画像を表示する表示パネルと、前記表示パネルの表示面を覆うパネル部材と、前記表示パネルの外周端部と前記パネル部材の外周端部の間に配され、前記表示パネルを構成する基板の前記パネル部材側の面に設けられた段差部に嵌合される遮光部であって、前記表示面よりも前記パネル部材に対して遠い側に配される前記パネル部材側の面を有する遮光部と、を備えることに特徴を有する。遮光部を備えることで、表示パネルの外周端部とパネル部材の外周端部の間から表示装置の外部に光が漏れる事態を抑制できる。そして、遮光部は表示パネルの段差部に嵌合されると共に、パネル部材側の面が表示面よりもパネル部材に対して遠い側に配されている。このため、遮光部がパネル部材と当接する事態を抑制でき、パネル部材から遮光部を介して表示パネルに圧力が作用する事態を抑制できる。これにより、表示パネルに圧力が作用して表示品質が低下する事態を抑制できる。また、基板に段差部を形成することで、基板の板厚が部分的に小さくなり、段差部を備えていない構成と比べて軽量化を図ることができる。また、遮光部を段差部に嵌合させることで遮光部の位置決めを容易に行うことができる。
【発明の効果】
【０００７】
本発明によれば、表示パネルの表示品質が低下する事態を抑制することができる。
【図面の簡単な説明】
【０００８】
【図１】本発明の実施形態１に係る液晶パネルを示す平面図
【図２】液晶表示装置を示す断面図（図１のＩＩ−ＩＩ線で切断した図に対応）
【図３】液晶パネルに対してタッチパネルを取り付ける過程を示す断面図
【図４】液晶表示装置を示す断面図（図１のＩＶ−ＩＶ線で切断した図に対応）
【図５】比較例１において液晶パネルに対してタッチパネルを取り付ける過程を示す断面図
【図６】比較例１において液晶パネルに対してタッチパネルを取り付けた状態を示す断面図
【図７】比較例２を示す断面図
【図８】実施形態２に係る液晶パネルを示す平面図
【発明を実施するための形態】
【０００９】
＜実施形態１＞
本発明の実施形態１を図１から図７によって説明する。液晶表示装置１０（表示装置）は、図１及び図２に示すように、画像を表示する液晶パネル１１（表示パネル）と、液晶パネル１１の表示面１２を覆うタッチパネル４０（パネル部材）と、液晶パネル１１に光を供給する外部光源であるバックライト装置１４（照明装置）と、を備える。バックライト装置１４は、図２に示すように、表側（液晶パネル１１側）に向けて開口した略箱形をなすシャーシ１８と、シャーシ１８内に配された図示しない光源（例えば冷陰極管、ＬＥＤ、有機ＥＬなど）と、シャーシ１８の開口部を覆う形で配される図示しない光学部材と、を備える。光学部材は、光源から発せられる光を面状に変換するなどの機能を有するものである。液晶パネル１１は画像を表示することが可能な表示領域Ａ１と、表示領域Ａ１を取り囲む非表示領域Ａ２に区分されている。
【００１０】
また、図４に示すように、液晶パネル１１の一辺には、フレキシブル基板１３が接続されており、液晶パネル１１は、フレキシブル基板１３を介して制御回路基板（図示せず）と電気的に接続されている。制御回路基板はドライバ３３に対して各種入力信号を供給する構成となっている。ドライバ３３は、制御回路基板から供給される入力信号を処理して出力信号を生成し、その出力信号を液晶パネル１１の表示領域Ａ１へ向けて出力することで液晶パネル１１を駆動させる構成となっている。本実施形態に係る液晶表示装置１０は、例えば、携帯電話（スマートフォンなどを含む）、ノートパソコン（タブレット型ノートパソコンなどを含む）、ウェアラブル端末（スマートウォッチなどを含む）、携帯型情報端末（電子ブックやＰＤＡなどを含む）、携帯型ゲーム機、デジタルフォトフレームなどの各種電子機器（図示せず）に用いられるものである。
【００１１】
液晶パネル１１は、図２に示すように、対向配置される一対の基板２０，３０と、一対の基板２０，３０間に配され、電界印加に伴って光学特性が変化する物質である液晶分子を含む液晶層２３と、を備える。一対の基板２０，３０のうち表側（正面側、図２の上側）の基板がＣＦ基板２０（対向基板）とされ、裏側（背面側）の基板がアレイ基板３０（アクティブマトリクス基板、素子側基板）とされる。また、両基板２０，３０の外面側には、それぞれ偏光板２１，３１が貼り付けられている。偏光板２１は、ＣＦ基板２０におけるタッチパネル４０側の面に設けられ、表示面１２は、偏光板２１におけるタッチパネル４０側の面によって構成されている。ＣＦ基板２０は、方形状をなし、ガラス基板の内面側（液晶層側）に、カラーフィルタ、オーバーコート膜、配向膜（いずれも図示せず）が積層されることで構成されている。カラーフィルタは、マトリクス状に配列されるＲ（赤色），Ｇ（緑色），Ｂ（青色）の三色の着色部（図示せず）を備えている。各着色部は、アレイ基板３０の各画素と対向配置されている。
【００１２】
アレイ基板３０は、方形状をなし、ガラス基板の内面側にフォトリソグラフィ法によって各種の膜が積層形成されてなるものとされる。表示領域Ａ１においてガラス基板の内面側（液晶層側、図２では上側）には、スイッチング素子であるＴＦＴ（Thin Film Transistor：表示素子）や画素電極が複数個マトリクス状（行列状）に並んで設けられている。タッチパネル４０は、透明な粘着テープ４１によって液晶パネル１１に対して固定されている。また、液晶パネル１１の外周端部は、遮光性を有する粘着テープ４２によって、バックライト装置１４の外周端部に対して固定されている。
【００１３】
図２に示すように、バックライト装置１４及び液晶パネル１１の外周端部には、遮光テープ６０，７０が貼り付けられている。遮光テープ６０，７０は、例えば、黒色とされることで遮光性を有する。図１に示すように、遮光テープ６０は、液晶パネル１１の外周端部のうち、短辺方向（Ｙ軸方向）に沿って延びる一対の周端部の各々に沿って延びる形で一対設けられている。また、遮光テープ７０は、液晶パネル１１の外周端部のうち、長辺方向（Ｘ軸方向）に沿って延びる一対の周端部の各々に沿って延びる形で一対設けられている。
【００１４】
遮光テープ６０は、図２に示す断面視において略コの字状をなしており、バックライト装置１４を裏側から覆う第１延設部６１と、バックライト装置１４を側方から覆う第２延設部６２と、液晶パネル１１を表側から覆う第３延設部６３と、を備える。遮光テープ６０の第３延設部６３及び遮光テープ７０は、液晶パネル１１の外周端部とタッチパネルの外周端部の間に配された遮光部とされる。そして、方形状をなす液晶パネル１１の角部においては、図１に示すように、遮光テープ６０の第３延設部６３に重なる形で遮光テープ７０の端部７１が配されている。つまり、液晶パネル１１の角部においては、直交する２枚の遮光テープ６０，７０が互いに重畳されている。このようにすれば、液晶パネル１１の角部において遮光テープ６０，７０間に隙間が生じる事態を抑制することができる。
【００１５】
ＣＦ基板２０（より詳しくはＣＦ基板２０を構成するガラス基板）の外周端部においてタッチパネル４０側の面（表示パネルを構成する基板のパネル部材側の面）には、図２に示すように、段差部２２が設けられている。段差部２２は、例えばＹ軸方向に沿って延びる形で設けられ、ＣＦ基板２０の外側（図２では左側）の表面２２Ａ（段差部の底面）を内側（図２では右側）の表面２２Ｂに比べて低くすることで構成されている。言い換えると、段差部２２の形成箇所では、ＣＦ基板２０の板厚が他の箇所よりも小さくなっている。遮光テープ６０の第３延設部６３及び遮光テープ７０の端部７１（長手方向における一端部）は、段差部２２に嵌合されている。つまり、遮光テープ６０の第３延設部６３及び遮光テープ７０の端部７１は、段差部２２に嵌合される遮光部とされる。遮光テープ７０におけるタッチパネル４０側の面７２（遮光部におけるパネル部材側の面）は、表示面１２よりもタッチパネル４０に対して遠い側（図２の下側）に配されている。なお、段差部２２に対して遮光テープ６０の第３延設部６３のみが嵌合されていてもよい。
【００１６】
本実施形態では、粘着テープ４１の周端部が段差部２２を表側から覆う形で配されている。段差部２２の底面と粘着テープ４１の裏面との対向間隔Ｚ１は、遮光テープ６０の第３延設部６３の厚さ及び遮光テープ７０の厚さを合計した値よりも大きい値で設定されている。なお、図３に示すように、タッチパネル４０を液晶パネル１１に対して取り付ける際には、遮光テープ６０，７０を液晶パネル１１に貼り付けた後、タッチパネル４０側の粘着テープ４１を液晶パネル１１の表示面１２（偏光板２１の表面）に貼り付けるようにする。なお、段差部２２と重なる部分において粘着テープ４１が配されていなくてもよい。
【００１７】
また、図２に示すように、液晶パネル１１は、ＣＦ基板２０の外周端部とアレイ基板３０の外周端部との間に介在され、液晶層２３を封止するシール部材２４を備える。遮光テープ６０の第３延設部６３及び遮光テープ７０の端部７１は、ＣＦ基板２０（一対の基板のうち、表示面側の基板）において、シール部材２４と重畳する箇所に設けられている。
【００１８】
また、図４に示すように、液晶パネル１１におけるフレキシブル基板１３側の長辺（表示パネルの一辺）においては、アレイ基板３０の外周端部３４が、ＣＦ基板２０の外周端部２５よりも液晶パネル１１の外周側（液晶パネル１１の側方、図４では左側）に配されている。アレイ基板３０の外周端部３４におけるタッチパネル４０側の面には、液晶パネル１１を駆動するドライバ３３が設けられている。遮光テープ７０は、図１に示すように、液晶パネル１１における各長辺に沿ってそれぞれ配されており、フレキシブル基板１３側の長辺に沿って延びる遮光テープ７０（符号３２を付す、ドライバ側遮光部材）は、図４に示すように、アレイ基板３０の外周端部３４におけるタッチパネル４０側の面及びＣＦ基板２０の外周端部２５におけるタッチパネル４０側の面の双方を覆う形で配されている。
【００１９】
次に本実施形態の効果について説明する。本実施形態では、遮光テープ６０，７０を備えることで、液晶パネル１１の外周端部とタッチパネル４０の外周端部の間から液晶表示装置１０の外部に光が漏れる事態を抑制できる。そして、遮光テープ６０，７０は液晶パネル１１の段差部２２に嵌合されると共に、タッチパネル４０側の面７２が表示面１２よりもタッチパネル４０に対して遠い側に配されている。このため、遮光テープ７０がタッチパネル４０と当接する事態を抑制でき、タッチパネル４０から遮光テープ６０，７０を介して液晶パネル１１に圧力が作用する事態を抑制できる。これにより、液晶パネル１１に圧力が作用して表示品質が低下する事態を抑制できる。
【００２０】
仮に図５及び図６の比較例に示すように、ＣＦ基板２０に段差部２２が設けられていない構成の場合には、遮光テープ７０のタッチパネル４０側の面７２が表示面１２よりも高くなる場合があり、タッチパネル４０を取り付けた際に、図６に示すように遮光テープ７０が押圧され、液晶パネル１１に圧力が作用する事態が懸念される。本実施形態ではこのような事態を抑制することができる。また、ＣＦ基板２０に段差部２２を形成することで、ＣＦ基板２０の板厚が部分的に小さくなり、段差部２２を備えていない構成と比べて軽量化を図ることができる。また、遮光テープ６０，７０を段差部２２に嵌合させることで遮光テープ６０，７０の位置決めを容易に行うことができる。
【００２１】
また、液晶パネル１１は、ＣＦ基板２０におけるパネル部材側の面に設けられる偏光板２１を備え、表示面１２は、偏光板２１におけるタッチパネル４０側の面である。偏光板２１の表面によってタッチパネル４０が遮光テープ６０，７０側に変位することが規制される。これにより、タッチパネル４０が遮光テープ７０に当接する事態を抑制することができる。
【００２２】
液晶パネル１１は、角部を有しており、角部においては、２枚の遮光テープ６０，７０が互いに重畳されている。角部において２枚の遮光テープ６０，７０を重ねることで、２枚の遮光テープ６０，７０間に隙間が生じる事態を抑制できる。しかしながら、２枚の遮光テープ６０，７０を重ねると遮光部が１枚の遮光テープによって構成されている場合と比べて、遮光部の厚さが大きくなり易く、遮光テープ７０がタッチパネル４０と当接する事態が起こり易くなる。上記構成では、段差部２２を設けることで遮光テープ７０がタッチパネル４０と当接する事態を抑制でき、好適である。
【００２３】
また、液晶パネル１１とタッチパネル４０の間には、液晶パネル１１に対してタッチパネル４０を固定する粘着テープ４１が介在されている。粘着テープ４１の厚さが大きい程、液晶パネル１１とタッチパネル４０の間隔が大きくなり、遮光テープ７０がタッチパネル４０と当接する事態が起こり難くなる。しかしながら、粘着テープ４１が厚いと液晶表示装置１０の薄型化が困難となる。上記構成では、粘着テープ４１の厚さを小さくすることで、液晶パネル１１とタッチパネル４０の間隔が小さくなった場合であっても、遮光テープ７０がタッチパネル４０と当接する事態を抑制することができる。このため、粘着テープ４１の厚さを小さくすることができ、液晶表示装置１０の薄型化を図ることができる。
【００２４】
液晶パネル１１は、対向配置される一対の基板２０，３０と、一対の基板２０，３０間に配される液晶層２３と、一対の基板２０，３０の外周端部間に介在され、液晶層２３を封止するシール部材２４と、を備える液晶パネル１１とされ、遮光テープ６０，７０は、ＣＦ基板２０において、シール部材２４と重畳する箇所に設けられている。図７の比較例の液晶パネル２に示すように、仮にＣＦ基板２０の外周端部に対してアレイ基板３０の外周端部を液晶パネル１１の外周側に突出させる形で配し、その突出されたアレイ基板３０の外周端部（ＣＦ基板２０と非重畳の部分）のタッチパネル４０側の面５に遮光テープ６０，７０を配置する構成とすれば、ＣＦ基板２０の厚さ分だけ、遮光テープ６０，７０をタッチパネル４０から遠ざけることができ、遮光テープ６０，７０がタッチパネル４０と当接する事態を抑制できる。
【００２５】
しかしながら、図７の構成では、遮光テープ６０，７０の配置領域では、ＣＦ基板２０が配されていないため、シール部材２４を遮光テープ６０，７０よりも液晶パネル１１の内側に配置する必要が生じ、その分だけ液晶パネル１１の表示領域が狭くなる。本実施形態では、段差部２２を設けることで、遮光テープ６０，７０とシール部材２４を重畳させて配することができるため、液晶パネル１１の表示領域が狭くなる事態を抑制できる。
【００２６】
また、液晶パネル１１は、方形状をなすアレイ基板３０と、方形状をなし、アレイ基板３０と対向配置されるＣＦ基板２０と、を備える方形状をなし、液晶パネル１１の一辺において、アレイ基板３０の外周端部３４は、ＣＦ基板２０の外周端部２５に対して液晶パネル１１の外周側に配されており、アレイ基板３０の外周端部３４におけるタッチパネル４０側の面には、液晶パネル１１を駆動するドライバ３３が設けられ、アレイ基板３０の外周端部３４におけるタッチパネル４０側の面及びＣＦ基板２０の外周端部２５におけるタッチパネル４０側の面の双方を覆う遮光テープ３２を備える。遮光テープ３２がアレイ基板３０の外周端部３４のみを覆う構成と比べて、液晶パネル１１の内側領域（表示領域Ａ１）により近い箇所を覆うことができ、液晶表示装置１０の外部に光が漏れる事態をより確実に抑制できる。
【００２７】
＜実施形態２＞
次に、本発明の実施形態２を図８によって説明する。上記実施形態と同一部分には、同一符号を付して重複する説明を省略する。本実施形態の液晶パネル１１１においては、遮光テープ６０，７０（遮光テープ６０の第３延設部６３，遮光テープ７０の端部７１、図１参照、図８では図示せず）が嵌合する段差部１２２が、図８に示すように、ＣＦ基板２０における四隅（４つの角部、液晶パネル１１１の角部に対応する箇所）のみに設けられている。このようにすれば、液晶パネル１１１の外周端部の全周に亘って段差部を設ける構成と比べて、ＣＦ基板２０の剛性をより高くすることができる。
【００２８】
＜他の実施形態＞
本発明は上記記述及び図面によって説明した実施形態に限定されるものではなく、例えば次のような実施形態も本発明の技術的範囲に含まれる。
（１）上記実施形態では、パネル部材として、タッチパネルを例示したが、これに限定されない。パネル部材として、液晶パネルを保護するためのカバーパネルなどを例示することができる。
（２）上記実施形態では、表示パネルとして、液晶パネルを例示したが、これに限定されない。表示パネルとして、有機ＥＬパネルやプラズマディスプレイパネルなどを例示することができる。
（３）上記実施形態では、遮光部として互いに重なる２枚の遮光テープ６０，７０を例示したが、これに限定されない。遮光部が１枚の遮光テープによって構成されていてもよい。また、遮光部の形態はテープに限定されず適宜変更可能である。
【符号の説明】
【００２９】
１０…液晶表示装置（表示装置）、１１，１１１…液晶パネル（表示パネル）、１２…表示面（表示パネルの表示面）、２０…ＣＦ基板（表示パネルを構成する基板、対向基板、一対の基板のうち、表示面側の基板）、２１…偏光板、２２，１２２…段差部、２３…液晶層、２４…シール部材、２５…ＣＦ基板の一辺の外周端部（対向基板の一辺の外周端部）、３０…アレイ基板、３１…ドライバ、３２…下辺側の遮光テープ（ドライバ側遮光部材）、３４…アレイ基板の一辺の外周端部、４０…タッチパネル（パネル部材）、４１…粘着テープ、６３…遮光テープ６０の第３延設部（遮光部）、７１…遮光テープ７０の端部（遮光部）、７２…遮光テープ７０におけるタッチパネル側の面（遮光部のパネル部材側の面）
【図１】
2019090899.tif 000003
【図２】
2019090899.tif 000004
【図３】
2019090899.tif 000005
【図４】
2019090899.tif 000006
【図５】
2019090899.tif 000007
【図６】
2019090899.tif 000008
【図７】
2019090899.tif 000009
【図８】
2019090899.tif 000010